(57)【要約】【課題】便器に対し十分な瞬間流量にて洗浄水を供給することができる給水装置を備えた便器設備と、この便器の洗浄方法とを提供する。【解決手段】洗浄初期に水弁２、エア弁及び大気開放弁１３を開く。これにより、水が流量Ｗ１にて水タンク８から便器２０へ供給される。その後、エア弁９を閉とする。これにより、新たに供給される水量Ｗ１と、大気開放弁１３を介して流入する空気の流量Ａ１との合計の水流量Ｗ２＝Ｗ１＋Ａ１にて水タンク８から便器２０へ供給され、便鉢２３内の水位が静止水位よりも２０ｍｍ以上上昇する。さらにその後、吸引弁１６を開とし、トラップ２４の２次側を吸引する。これにより、トラップ２４に早期に強力なサイホンが形成される。【選択図】図５
2007255069.tif 000002
【特許請求の範囲】
【請求項１】
便鉢及び該便鉢に連なるトラップを有した便器本体と、
該便鉢に洗浄水を供給する洗浄水供給手段と、
該トラップにサイホン排出流を誘起させるサイホン誘起手段と
を有する便器設備において、
該洗浄水供給手段は、洗浄水の供給開始後、該サイホン誘起手段の起動前に洗浄水の供給量を増大させるように構成されていることを特徴とする便器設備。
【請求項２】
請求項１において、前記洗浄水供給手段は、洗浄水を供給開始してからｔ１秒の前は平均流量Ｗ１にて洗浄水を供給し、その後ｔ２秒の間は平均流量Ｗ２にて洗浄水を供給するものであり、
Ｗ２はＷ１の１．５〜３倍であることを特徴とする便器設備。
【請求項３】
請求項２において、ｔ１は１〜１５秒であり、ｔ２は２〜１２秒であることを特徴とする便器設備。
【請求項４】
請求項２又は３において、Ｗ２は１５〜６０Ｌ／ｍｉｎであることを特徴とする便器設備。
【請求項５】
請求項１ないし４のいずれか１項において、前記洗浄水供給手段は、前記サイホン誘起手段の起動時における便鉢内の平均水位を便鉢内の静止水面よりも２０ｍｍ以上上昇させるものであることを特徴とする便器設備。
【請求項６】
請求項１ないし５のいずれか１項において、前記サイホン誘起手段は、トラップに向って水を噴出する噴出手段と、トラップ内の空気を吸引する吸引手段との少なくとも一方であることを特徴とする便器設備。
【請求項７】
便鉢及び該便鉢に連なるトラップを有した便器の洗浄方法であって、
該便鉢に洗浄水を供給し、その後、サイホン誘起手段を作動させてトラップにサイホンを形成する便器洗浄方法において、
便鉢に洗浄水を供給開始した後、所定時間経過後に洗浄水の供給量を増大させ、その後、前記サイホン誘起手段を作動させることを特徴とする便器洗浄方法。
【発明の詳細な説明】
【技術分野】
【０００１】
本発明は、便器設備と便器の洗浄方法とに関する。
【背景技術】
【０００２】
便器を洗浄するために、便器の後部上面にロータンクを設置し、このロータンクから便鉢に洗浄水を供給することが広く行われているが、ロータンクを設置する分だけ便器が大形となってしまう。
【０００３】
建物内に引き回された給水配管からフラッシュレバーを介して便器洗浄水を便器に導入することも広く行われているが、給水配管の管径が十分に大きく、また水道の水圧が十分に高く、フラッシュレバーを開栓操作したときに十分な瞬間流量にて水が便器に供給されることが必要である。
【０００４】
給水配管が細かったり、水道水圧が低い場合の対策として、水道配管の途中に蓄圧器を設けることが特開平７−３００８９１号公報に記載されている。しかしながら、この特開平７−３００８９１号公報の洋風便器設備にあっては、洋風便器に供給される洗浄水の全量を蓄圧器によって蓄圧する必要があり、蓄圧器が大容積のものになる。
【０００５】
水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されることがある。
【０００６】
例えば、特開平１１−１４８１６２号公報の図２等には、元流路から分岐したジェット用流路に蓄圧タンクを設置し、ジェット孔に給水するときに蓄圧タンクの水をジェット孔へ向って放出するサイホンジェット式便器洗浄装置が記載されている。
【０００７】
特開２００５−１４６６０２号には、便器に洗浄水を供給する元流路、該元流路から分岐したリム用流路及びジェット用流路と、該元流路に常時連通している蓄圧タンクと、該リム用流路に設けられたリム給水弁と、該ジェット用流路に設けられたジェット給水弁とを備えてなる便器洗浄装置であって、便器洗浄に際し、まずリム給水弁を所定時間（Ｔ１）開弁させ、該リム給水弁の閉弁後、所定の待機時間（Ｔ２）経過後、該ジェット給水弁を所定時間（Ｔ３）開弁させる弁制御手段を備えた便器洗浄装置が記載されている。
【０００８】
この便器洗浄装置では、静水圧時（リム給水弁及びジェット給水弁のいずれもが閉止され、元流路内の水圧が高い時）には蓄圧タンクに蓄圧水が溜まる。リム給水弁又はジェット給水弁が開弁されて元流路が通水状態となり、元流路内の水圧が低くなったときに、蓄圧タンク内の蓄圧水が元流路に付加され、元流路の水圧が高くなる。このように、流路の水圧を高めるために蓄圧タンクの蓄圧水を付加するよう構成することにより、洗浄水の全量を蓄圧する特開平１１−１４８１６２号に比べ、蓄圧タンクの容積が小さくて足りる。
【０００９】
便器洗浄時におけるサイホン形成を早期化するために、便器本体の下流側に連なる排水路と、該排水流路内の空気を排気するアスピレータとを備えた便器洗浄装置が、特開平１０−９６２５５号公報に記載されている。
【特許文献１】特開平１０−９６２５５号公報
【特許文献２】特開平７−３００８９１号公報
【特許文献３】特開平１１−１４８１６２号公報
【特許文献４】特開２００５−１４６６０２号公報
【発明の開示】
【発明が解決しようとする課題】
【００１０】
本発明は、ロータンクよりも容積の小さい水タンクを用いても、また水道配管の管径が小さかったり、水道水圧が十分には高くなかったりした場合でも、便器から汚水を強力に排出することができる便器設備及び便器の洗浄方法とを提供することを目的とする。
【課題を解決するための手段】
【００１１】
請求項１の便器設備は、便鉢及び該便鉢に連なるトラップを有した便器本体と、該便鉢に洗浄水を供給する洗浄水供給手段と、該トラップにサイホン排出流を誘起させるサイホン誘起手段とを有する便器設備において、該洗浄水供給手段は、洗浄水の供給開始後、該サイホン誘起手段の起動前に洗浄水の供給量を増大させるように構成されていることを特徴とするものである。
【００１２】
請求項２の便器設備は、請求項１において、前記洗浄水供給手段は、洗浄水を供給開始してからｔ１秒の前は平均流量Ｗ１にて洗浄水を供給し、その後ｔ２秒の間は平均流量Ｗ２にて洗浄水を供給するものであり、Ｗ２はＷ１の１．５〜３倍であることを特徴とするものである。
【００１３】
請求項３の便器設備は、請求項２において、ｔ１は１〜１５秒であり、ｔ２は２〜１２秒であることを特徴とするものである。
【００１４】
請求項４の便器設備は、請求項２又は３において、Ｗ２は１５〜６０Ｌ／ｍｉｎであることを特徴とするものである。
【００１５】
請求項５の便器設備は、請求項１ないし４のいずれか１項において、前記洗浄水供給手段は、前記サイホン誘起手段の起動時における便鉢内の平均水位を便鉢内の静止水面よりも２０ｍｍ以上上昇させるものであることを特徴とするものである。
【００１６】
請求項６の便器設備は、請求項１ないし５のいずれか１項において、前記サイホン誘起手段は、トラップに向って水を噴出する噴出手段と、トラップ内の空気を吸引する吸引手段との少なくとも一方であることを特徴とするものである。
【００１７】
請求項７の便器洗浄方法は、便鉢及び該便鉢に連なるトラップを有した便器の洗浄方法であって、該便鉢に洗浄水を供給し、その後、サイホン誘起手段を作動させてトラップにサイホンを形成する便器洗浄方法において、便鉢に洗浄水を供給開始した後、所定時間経過後に洗浄水の供給量を増大させ、その後、前記サイホン誘起手段を作動させることを特徴とするものである。
【発明の効果】
【００１８】
本発明の便器設備及び便器洗浄方法にあっては、便器洗浄開始に際しまず便鉢に洗浄水を供給する。これにより、便鉢の鉢面に付着した汚水が洗い落される。このときの洗浄水の流量は比較的少なく、便鉢内の水位上昇も僅かであり、トラップにサイホンは生じない。便鉢内の水はトラップの最高位部をオーバーフローして流出する。
【００１９】
その後、便鉢への洗浄水の流量を増大させる。これにより、便鉢内の水位が上昇する。そこで、サイホン誘起手段を起動させる。そうすると、便鉢内とトラップ最高位部との水位差（水頭圧）が大きいことと、サイホン誘起手段から付与されるサイホン誘起作用とが重畳することにより、トラップにサイホンが迅速に且つ強力に生じ、便鉢内の汚水がトラップへスムーズに排出される。
【００２０】
このサイホン誘起手段としては、トラップ内の空気を吸引排出してトラップ内に負圧を与えるものや、トラップに向ってジェットノズルから排出方向に水を噴出させるジェット手段などが好適である。
【００２１】
本発明では、サイホン誘起手段の起動時において便鉢内の水位を静止水位よりも２０ｍｍ以上上昇させることが望ましい。
【発明を実施するための最良の形態】
【００２２】
以下、図面を参照して本発明の実施の形態を詳細に説明する。
【００２３】
＜サイホン誘起手段がトラップに負圧を与えるタイプの便器設備＞
第１〜９図は実施の形態に係る洋風便器設備が、それぞれ順に、非洗浄時、便鉢洗浄（初期）工程、便器洗浄工程（後期）、覆水工程及び水タンク貯水工程にあるときの作動状態を示す模式図である。第１０図は第１〜８図の洋風便器設備の作動を説明するタイミングチャートである。第１２図は便器の斜視図である。
【００２４】
なお、第１〜８図では（ａ）図が上記模式図であり、（ｂ）図はタンクの水平断面図である。
【００２５】
この設備では、サイホン誘起手段としてトラップ２４に負圧を付与する手段を備えている。
【００２６】
陶器製の洋風便器２０における便鉢２３の上部内周にリム２２が設けられている。便鉢２３は、トラップ２４及びサブトラップ２６を介して排水口２７と連通している。このトラップ２４は、ウェア（あふれ面）と称されるトラップ最高位部２４ａから下方に立ち下がってサブトラップ２６に至っている。符号２４ｂはクラウンと称されるあふれ面頂部を示している。符号２５は、トラップ２４とサブトラップ２６との間の排水流路を示している。
【００２７】
このサブトラップ２６は、該排水流路２５の管壁下部の最低位部２６ｂの下側を回り込み、次いで溢出用の最高位部２６ａに到るＵ字状流路よりなる。このサブトラップ２６の該最高位部２６ａの高さは、該最低位部２６ｂよりも若干高位となっている。
【００２８】
ただし、該最低位部２６ｂは、最高位部２６ａよりも若干高位とされてもよい。この場合、サブトラップ２６内に水が溜まっても、水面の高さは最低位部２６ｂより低位となっている。しかし、排水流路２５に後述の通り負圧がかけられ、サブトラップ２６内に多量の水が流れこむと、サブトラップ２６内の水位が該最低位部２６ｂよりも上昇し、サブトラップ２６が封水される。これにより、排水流路２５内と排水口２７側とが封隔される。
【００２９】
この洋風便器２０のリム２２へは、水道本管から供給される水道水が、配管１、水弁２、配管３、エゼクタ４、配管７、水タンク８、配管１１、給水受入部２１を介して供給される。配管３にはバキュームブレーカ３ａが設けられている。エゼクタ４のスロート部には、逆止弁６を有したエゼクタ用配管５が接続されている。逆止弁６は、空気がエゼクタ４に吸い込まれる方向に流れることを許容する。
【００３０】
水タンク８は、この実施の形態では筒軸心方向を鉛直方向とした円筒状であり、配管７は該水タンク８の上部に接線方向に接続されている。このため、配管７から水タンク８内に水が流入すると、水タンク８内に旋回流が形成される。配管１１は、この旋回流の順流方向となるように、水タンク８の下部に対し接線方向に接続された配管を示している。
【００３１】
水タンク８は、便器２０の後背面に対峙するようにして設置されており、水タンク８の大部分は便器２０の給水受入部２１よりも低いレベルに配置されている。配管１１は、上流端が上記の通り水タンク８に接続され、途中部が給水受入部２１と同レベルまで立ち上がり、下流端が給水受入部２１に接続されている。
【００３２】
なお、配管１１は、水タンク８よりも上方まで（ただし、エア弁９よりも下位）立ち上げられてもよい。
【００３３】
水タンク８の頂部にはエア弁９を有した空気の給排用の配管１０が接続されている。
【００３４】
前記エゼクタ用配管５は、開閉弁よりなる大気開放弁１３を介して大気と連通可能とされている。このエゼクタ用配管５の末端がエアタンク１４の底部に接続されている。
【００３５】
エアタンク１４の頂部は、作動室用配管１５、開閉弁よりなる吸引弁１６を介して作動室としての作動タンク３０の第１室３１に接続されている。
【００３６】
この作動タンク３０内は、隔膜３３によって上側の第１室３１と、下側の第２室３２とに分画されている。第２室３２は、配管３４を介して前記排水流路２５に連通されている。なお、配管３４は、実際にはクラウン２４ｂに接続されている。
【００３７】
隔膜３３は、第１室３１内が大気圧となっているときには、第１図のように下方へ膨満した形状となっており、この状態では第１室３１が比較的大容積とされ、第２室３２が比較的小容積とされている。
【００３８】
なお、第１室３１の膨満時の容積は７００〜１４００ｃｍ３程度が好適である。
【００３９】
このように構成された給水装置付き洋風便器設備の洗浄動作について次に工程別に説明する。
【００４０】
なお、この洗浄例では、第１図の通り水タンク８に予め貯水されている。貯水レベルは配管１１の末端と同レベルであり、配管７よりも若干下位である。第１図では、便鉢２３内の水位はトラップ最高位部２４ａと同レベルである。
【００４１】
［鉢洗浄］
（１）  水量Ｗ１（第２図）
第１図の状態において、水弁２を開く。エア弁１０、大気開放弁１３は開、吸引弁１６は閉とする。これにより、第２図の通り水が配管１，３，７の順に流量Ｗ１にて流れて水タンク８に流入する。エゼクタ４では配管５、大気開放弁１３を介して空気が吸い込まれ、この空気は水と共に水タンク８に流入する。エア弁９が開いているので、空気は配管１０を介して水タンク８外に流出し、水が流量Ｗ１にて配管１１から便器２０へ供給される。通常の便器の場合、このＷ１は１０〜２０Ｌ／ｍｉｎ特に１０〜１５Ｌ／ｍｉｎ程度が好適である。
【００４２】
この水は、リム２２から便鉢２３内に流れ落ち、鉢面を洗う。水が便鉢２３内に流入することにより、便鉢２３及びトラップ２４内の水位が若干上昇し、トラップ最高位部２４ａをオーバーフローするように便鉢２３内の汚水が流出する。
【００４３】
なお、水タンク８内では、配管７からの水は水タンク８の内周面に沿って螺旋状に流れ、気液分離が効率よく行われ、空気を含まない水が配管１１から便器２０へ供給される。
【００４４】
この流量Ｗ１によって給水は、１〜１５秒、特に３〜１２秒間程度行うのが好ましい。
【００４５】
（２）  水量Ｗ２への増水（第３図）
第２図の状態において、エア弁９を閉とする。これにより、エゼクタ４から配管７を介して水と共に水タンク８内に流入した空気は、水タンク８内に籠もるようになり、水タンク８内の水は、第３図の通り新たに供給される水量Ｗ１と、エゼクタ４から流入する空気の流量Ａ１との合計の水流量Ｗ２＝Ｗ１＋Ａ１にて水タンク８から便器２０へ供給される。このＷ２はＷ１の１．５〜３倍、特に２〜２．５倍程度が好適である。
【００４６】
即ち、第２図では水はＷ１の流量にて便器２０に供給されているが、この第３図の状態では、タンク８内の貯留水も流出水に重畳することにより、Ｗ２＝Ｗ１＋Ａ１の大流量にて便器２０へ水が供給される。なお、この結果、便鉢２３内の水位は静止水位（第１図の状態における便鉢２３内の水位）よりも好ましくは２０ｍｍ以上、例えば２０〜４０ｍｍ、特に好ましくは３０〜４０ｍｍ程度上昇するが、まだサイホンは起動しない。
【００４７】
この流量Ｗ２による給水は、２〜１２秒、特に５〜１０秒程度行うのが好ましい。
【００４８】
（３）  エアタンク１４での負圧蓄積（第４図）
第３図の状態において、大気開放弁１３を閉とする。これにより、配管５内への大気流入が停止し、エゼクタ４で発生する負圧が配管５，１２を介してエアタンク１４に伝達され、該エアタンク１４内に負圧が次第に沈積される。この間、エアタンク１４内の空気が吸い出され、エゼクタ４に流入するが、この吸入量が徐々に減少するので、水タンク８から配管１１への出水量はＷ２から徐々に減少し、遂には配管１１への出水量はＷ１にまで低下する。
【００４９】
大気開放弁１３を閉としてから所定時間（好ましくは５秒以内、特に３秒以内）が経過し、エアタンク１４内の負圧がエゼクタ４の発生負圧とほぼ同等となったならば、吸引弁１６を開とし、次のサイホン排出工程に移行する。
【００５０】
［サイホン排出工程（第５図〜第６図）］
（１）  サイホン起動
第４図の状態において、第５図の如く吸引弁１６を開とする。これにより、作動タンク３０内の第１室３１内の空気が配管１５を介してエアタンク１４に急速に吸い出され、隔膜３３が上方に移動し、第２室３２の容積が急速に拡大する。この結果、排水流路２５内の空気が配管３４を介して第２室３２に吸い出され、該排水流路２５内が負圧となる。
【００５１】
なお、この間も、水タンク８から水が便器２０に供給される。吸引弁１６を開とした当初は、第１室３１から吸い出された空気がエゼクタ４に流入するので、水タンク８から配管１１への出水量は一時的に略Ｗ２にまで増大するが、この吸い出し空気量が徐々に減少するので配管１１への出水量も次第に減少する。第１室３１内からすべての空気が吸い出されると、配管１１への出水量はＷ１になる。
【００５２】
（２）  サイホン保持
この実施の形態では、サイホンの作動時間を長くするために、第６図の通り、エアタンク１４内に負圧が無くなった時点で吸引弁１６を閉、大気開放弁１３を開とする。
【００５３】
これにより、エゼクタ４に大気開放弁１３から配管５を介して大気が流入するので、水タンク８から配管１１への出水量がＷ１からＷ２＝Ｗ１＋Ａ１に増大する。このため、トラップ２４に便鉢２３内に空気が流れ込むことがなく、サイホンが保持される。
【００５４】
やがて、水タンク８内の水位が配管１１の開口レベルまで低下し、水タンク８内の殆どすべての水が流出すると、便鉢２３への給水量が減少し、遂にはトラップ２４に空気が流入してサイホンがブレークする。
【００５５】
そこで、次の覆水工程に移行する。
【００５６】
［覆水（第７図〜第８図）］
上記の通り水タンク８内の水の大半が流出し、水タンク８内の水位が配管１１の開口レベルにまで低下した後、吸引弁１６を開とする。大気開放弁１３は開のままであり、エア弁９は閉のままである。これにより、大気開放弁１３を通った空気が第１室３１とエゼクタ４の双方へ供給される。この結果、第１室３１が元の容積に戻ると共に、水タンク８内に配管７から流量Ｗ１で流入した水が、該配管１１から流量Ｗ１にて便器２０へ供給される。
【００５７】
この状態では、サイホンはブレークしており、第７〜８図の通り便鉢２３内に水が徐々に溜り、覆水が貯留される。なお、第７〜８図でもエゼクタ４は空気を流量Ａ１にて吸い込み続けている。この空気Ａ１は、水タンク８から配管１１を介して水と共に便器２０へ流出する。
【００５８】
［タンク貯水（第９図）］
第８図の通り覆水の水位がトラップ最高位部２４ａにまで達した後、第９図の通りエア弁９を開とする。これにより、エゼクタ４から水タンク８に流入する空気が配管１０を介して流出し、水タンク８から便鉢２０への水の供給が停止する。そして、配管７から流量Ｗ１にて流入する水により水タンク８内に水が徐々に貯留される。水タンク８内の水位が配管１１の末端のレベル（便器２０の給水受入部２１のレベル）にまで達した後、水弁２を閉とする。これにより、第１図に示す待機状態に復帰する。
【００５９】
［効果］
この実施の形態では、上記の通り、水タンク８に水を溜めておき、洗浄初期には流量Ｗ１にて便器２０に給水し、次いで水タンク８内の貯水を流量Ｗ１に重畳させてＷ２＝Ｗ１＋Ａ１の増水状態にて便器２０に給水して便鉢２３内の水位を高めた後、作動タンク３０からトラップ２４に負圧を作用させてトラップ２４内を急激に減圧するので、サイホンを早期に且つ強力に、しかも確実に形成することができる。また、サイホンが起動した後も、水タンク８から大流量Ｗ２にて便鉢２３に給水し、サイホンを長時間に渡って継続させるので、便鉢２３内の汚物を十分に排出することができる。この水タンク８からＷ２にて水を供給している間に、便鉢内の水面付近に浮遊するペーパー等の軽量物も十分に排出される。
【００６０】
また、大流量Ｗ２にて水を便器２０に供給するときでも、このＷ２は新規流入水Ｗ１に水タンク８内の貯留水を重畳させたものであり、水タンク８の容積を徒に大きくするとことなく、十分な流量Ｗ２を所要の時間だけ継続させることができる。従って、水タンク８としては、１〜４Ｌ程度の小容積のもので足りるようになり、便器設備が、ロータンク型便器設備に比べて小型でコンパクトなものとなる。
【００６１】
また、配管１からの水を水タンク８に貯水するので、水道配管の管径が小さい場合や、水道元圧が低い場合でも、便器２０を十分に洗浄することができる。
【００６２】
この実施の形態では、エアタンク１４内の負圧を作動タンク３０の第１室３１に伝達し、この第１室３１とは隔膜３３で隔絶された第２室３２をトラップ２４の排水流路２５に連通させており、トラップ２４内の臭気を含んだ空気や汚水の飛沫などがエアタンク１４側へ流れ込むことがなく、衛生的である。
【００６３】
また、この実施の形態では、エアタンク１４の底部に配管１２を接続しているので、エアタンク１４内の結露水などをエゼクタ４へ吸い出すことができる。このため、エアタンク１４内でカビなどが繁殖することを防止することができる。
【００６４】
この実施の形態では、第１２図に示すように、水タンク８、エアタンク１４、作動タンク３０、各弁２，９，１３，１６を備えたバルブユニット４０及び各配管が便器の後背部に配置されており、便器２０を含めた設備の高さが、ロータンク型便器設備に比べて低いものとなる。符号４１は各機器を支持するフレームであり、このフレームに囲み用パネル（図示略）が取り付けられる。
【００６５】
［別態様］
上記実施の形態では、覆水工程にひき続いてタンク貯水工程を行って第１図の待機状態としている。即ち、第１図の待機状態では水タンク８に水が貯水されている。
【００６６】
これに対し、本発明では、覆水工程にて洗浄動作を終了し、水タンク８を略空のままとして待機状態に入ってもよい。即ち、覆水工程が終了すると、水弁２を閉とし、洗浄動作を終了とし、待機状態に移行する。これにより、待機状態では水タンク８はほぼ空となっている。
【００６７】
この場合、便器洗浄の開始当初にまず水タンク８に水を貯水し、それから第１図〜第１０図の実施の形態における鉢洗浄（洗浄初期）〜覆水までの各工程を実行する。
【００６８】
便器洗浄開始当初に水タンク８への貯水を行うには、水弁２、エア弁９及び大気開放弁１３を開とすればよい。これにより、水タンク８内に水が流量Ｗ１にて貯水される。エゼクタ４からの空気は配管１０を介して排出される。
【００６９】
このタンク貯水工程にひき続いて鉢洗浄工程（洗浄初期）を実行する。なお、この場合、水タンク８内の水位が配管１１の末端レベルまで達すると、自ずと水タンク８から配管１１を介して水が便器２０へオーバーフロー状に流出し、鉢洗浄が開始することになる。
【００７０】
便器洗浄に先立って、タンク貯水工程を開始するタイミングは、便器使用者が便器洗浄スイッチを操作したときとしてもよく、トイレルームへの人体の入室が検知されたときとしてもよく、便器への人体の近接や着座を検知したときとしてもよい。
【００７１】
［別の実施の形態］
上記実施の形態では大気開放弁１３をエゼクタ用配管５に設けているが、第１１図のように作動室用配管１５に設けてもよい。また、エア弁９の水タンク８と反対側を直ちに大気に開放する代りに、第１１図のようにエゼクタ用配管５に接続してもよい。図示はしないが、エア弁９の水タンク８と反対側をエアタンク１４に接続してもよい。
【００７２】
この第１１図の実施の形態でも、各弁２，９，１３，１６の開閉のタイミングは上記実施の形態と同一である。
【００７３】
この第１１図の実施の形態は、上記実施の形態に比べてさらに次の利点を有する。
(i)  エア弁９を開としたときに、エア弁９に吸気音が発生することがある。この吸気音（騒音）は、配管１２、エアタンク１４、配管１５、大気開放弁１３を介して大気中に伝わるが、エアタンク１４がマフラー（消音器）として機能するので、この騒音が低減される。
【００７４】
(ii)  大気開放弁１３を開としてエゼクタ４に通水し、大気開放弁１３から空気が吸い込まれている場合、該大気開放弁１３から吸い込まれた空気がエアタンク１４内を連続して通過する。このため、エゼクタ１４内に溜った水が十分にエゼクタ１４に吸い出される。
【００７５】
(iii)  配管１０がエア弁９を介して配管５に接続されている。このため、配管１０から水タンク８内の湿気や細かい水滴が流出しても、配管５を介してエゼクタ４側へ戻される。従って、水タンク８からの湿気や水分の放出が防止される。
【００７６】
(iv)  大気開放弁１３が作動タンク３０に近接して配置されている。従って、大気開放弁１３及び吸引弁１６を開としたときに、大気が作動タンク３０の第１室３１に速やかに流入し、隔膜３３が元の膨満形状に速やかに復帰する。
【００７７】
［さらに他の形態］
上記実施の形態では便器２０が陶器によってトラップ２４及びサブトラップ２６を含めて一体的に構成されているが、第１３図の便器のように、便鉢２３及びリム２２と、トラップ２４の１次側（最高位部２４ａよりも便鉢２３側）とで便器本体２０Ａを構成し、トラップ２次側（最高位部２４ａよりも後方側）を別体の便器後半体２０Ｂとし、便器本体２０Ａと後半体２０Ｂとがフランジ結合などによって水密的に連結される構成としてもよい。後半体２０Ｂは陶器製であってもよく、合成樹脂製であってもよい。
【００７８】
この場合、後半体２０Ｂと、水弁２、エゼクタ４、水タンク８、エアタンク１４、作動タンク３０、各弁２，６，９，１３，１６及び各配管等を一まとめのユニット（便器洗浄ユニット）として便器本体２０Ａと別売りするようにしてもよい。
【００７９】
もちろん、本発明では、水弁２、エゼクタ４、水タンク８、エアタンク１４、作動タンク３０、各弁２，６，９，１３，１６及び各配管等を便器用給水装置として、便器２０とは別個に販売するようにしてもよい。
【００８０】
本発明では、水タンク８は逆円錐形などテーパを有するものであってもよい。
【００８１】
＜サイホン誘起手段がトラップに向ってジェット水を噴出する便器設備＞
第１４図（ａ）はジェットノズルを備えた洋風便器設備の斜視図、第１４図（ｂ）はその電動弁ユニットの構成図、第１５図（ａ）は洗浄水供給流路の系統図、第１５図（ｂ）は洗浄水供給流路の給水タイミングチャートである。
【００８２】
陶器製の洋風便器５１は、前部に鉢部５２を備え、この鉢部５２の上部内周にリム５３が設けられている。このリム５３へはリムノズル５４を介して洗浄水が供給される。また、鉢部５２のトラップ部には、該トラップ部にサイホン排出流を誘起するための水（ジェット水）を噴出するジェットノズル５５が設けられている。このトラップ部は、鉢部５２の底部から斜め上方に立ち上がる上昇部と、該上昇部に連なり、下方に立ち下がる立下部とを有しており、この立下部が排水管（図示略）に連なっている。このトラップ構造自体は周知のものである。
【００８３】
トイレルームの壁面には給水管の末端が突出しており、この給水管の末端に止水栓６０が取り付けられている。この止水栓６０は元流路としての給水管６１及び逆止弁６１ａを介して洋風便器５１の後部に設置されたストレーナ６２に接続されている。このストレーナ６２を通過した水は電動弁ユニット７０へ供給可能とされる。
【００８４】
電動弁ユニット７０は、内部に配置されたリム給水弁７２及びジェット給水弁７３をモータ７１で駆動し、リム用流路としてのリムノズル用給水配管７４又はジェット用流路としてのジェットノズル用給水配管７５へ水を供給する。なお、停電時にも便器を使用できるようにするために、モータ７１の回転軸に手動式の洗浄ハンドル７８が取り付けられている。この電動弁ユニット７０は、カバーケーシング（図示略）内に配置されている。
【００８５】
この電動弁ユニット７０には、リムノズル用給水配管７４内及びジェットノズル用給水配管７５内の負圧をブレークするためのバキュームブレーカ７６，７７が設けられている。このバキュームブレーカ７６，７７は、該給水配管７４又は７５内に負圧が生じたときに開弁して該給水配管７４又は７５内を大気に連通させるよう構成されている。また、図示はしないが、リムノズル用給水配管７４及びジェットノズル用給水配管７５にそれぞれ逆止弁が設けられている。
【００８６】
上記の元流路としての給水管６１に対し、蓄圧制御弁８１を有した配管８０を介して蓄圧タンク９０の出入口９１が接続されている。蓄圧タンク９０は、ダイヤフラム９３によって蓄圧室９２が区画されている。このダイヤフラム９３の上側の大気圧室９４は開口９６を介して大気に常時連通している。この大気圧室９４内には、ダイヤフラム９３を蓄圧方向に押圧するスプリング９５が設置されている。
【００８７】
この蓄圧タンク９０の蓄圧室９２内は、蓄圧制御弁８１が開であるときには、配管８０を介して給水管６１内に連通している。従って、蓄圧制御弁８１が開であり、かつ電動弁ユニット７０の弁７２，７３がいずれも閉弁状態にあるときには、給水管６１内の水圧は水道配管の給水静圧（例えば、１．０〜２．０ｋｇｆ／ｃｍ２）となっており、この水圧により、給水管６１内の水が蓄圧タンク９０内に流入し、最終的には給水管６１内の静水圧と等しい圧力の水が蓄圧タンク９０内に貯留される。
【００８８】
［鉢洗浄］
用便（大便）後に洋風便器５１に洗浄水を供給するときには、第１４図（ｂ）の通り、まず弁７２が所定時間（Ｔ１）の間、小開度にて開弁してリム５３へ洗浄水が流量Ｗ１にて供給されて鉢面に付着した汚れがトラップ部へ洗い落とされる。この実施の形態では、この弁７２が開弁してリム５３へ給水している間、蓄圧制御弁８１は閉とされている。
【００８９】
ただし、本発明では蓄圧タンク９０の容積が十分に大きいときには、この鉢洗浄時に蓄圧制御弁８１を開とし、蓄圧タンク９０内の水をリム給水に付加し、リム５３の末端にまで極めて十分に水が行き渡るようにしてもよい。この場合には、上記の所定時間（Ｔ１）が経過すると、所定の待機時間の間、弁７２，７３を閉とし、蓄圧制御弁８１を開とし、この間に蓄圧タンク９０内に蓄圧水を貯留するのが好ましい。
【００９０】
［増水］
所定時間（Ｔ１）が経過した後、蓄圧制御弁８１を開とし、給水管６１の流量Ｗ１に対しさらに蓄圧タンク９０からの蓄圧水を重畳させ、流量Ｗ２にてリム給水を行う。このＷ２による給水を所定時間（Ｔ２）継続する。これにより、便鉢５２内の水位が静止水位よりも２０〜４０ｍｍ程度上昇する。
【００９１】
［ジェット］
この時間（Ｔ２）が経過すると、リム給水弁７２が閉とされ、ジェット給水弁７３が所定時間（Ｔ３）開弁し、ジェットノズル５５から水が噴出してトラップ部にサイホンが誘起され、汚水が排水管へ排出される。
【００９２】
便鉢７２内の水位が２０〜４０ｍｍ程度静止水位よりも高くなっていると共に、このジェットノズル５５からの噴出水に対しても蓄圧タンク９０内の蓄圧水が付加されるので、ジェットノズル５５からの噴出水量及び水圧が増大し、トラップ部に強力なサイホン排出水流が速やかに形成される。これにより、鉢内の水面上あるいは水面付近に浮遊していたペーパーなど流れにくい固形物も速やかに排出される。
【００９３】
［覆水］
その後、蓄圧制御弁８１及びジェット給水弁７３が閉弁され、ジェットノズル５５への給水が停止される。電動弁ユニット７０は、その後、所定時間（Ｔ４）だけリム給水弁７２を開弁させてリム５３へ給水し、便鉢底部に所要水量のトラップ水を貯留させる。その後、所定時間（Ｔ５）の間、蓄圧制御弁８１が開弁し、該リム給水弁７２が閉弁する。弁７２，７３のいずれもが閉となることにより、蓄圧タンク９０に蓄圧水が貯留される。所定時間（Ｔ５）経過後、蓄圧制御弁８１が閉弁され、待機状態となる。
【００９４】
このように、この実施の形態によっても、サイホン起動直前に便鉢５２内の水位を高め、その後、ジェットノズル５５からの噴水を開始するので、サイホンをスムーズに起動させることができる。また、蓄圧タンク９０の蓄圧水がジェットノズル５５への給水に付加されることにより、強力なサイホン排出流を形成することができ、流れにくいペーパー等も確実に排出することが可能となる。
【００９５】
また、電動弁ユニット７０に手動式の洗浄ハンドル７８が設けられており、停電時にも上記と同様の洗浄動作を行わせることができる。
【００９６】
上記実施の形態では、逆止弁６１ａよりも上流側から配管８０が分岐しているが、逆止弁６１ａの下流側から分岐させてもよい。
【図面の簡単な説明】
【００９７】
【図１】実施の形態を示す系統図である。
【図２】実施の形態を示す系統図である。
【図３】実施の形態を示す系統図である。
【図４】実施の形態を示す系統図である。
【図５】実施の形態を示す系統図である。
【図６】実施の形態を示す系統図である。
【図７】実施の形態を示す系統図である。
【図８】実施の形態を示す系統図である。
【図９】実施の形態を示す系統図である。
【図１０】実施の形態を説明するタイミングチャートである。
【図１１】別の実施の形態を説明する系統図である。
【図１２】便器の後方からの斜視図である。
【図１３】さらに別の実施の形態を示す模式的な断面図である。
【図１４】（ａ）図は異なる実施の形態に係る便器洗浄装置を備えた洋風便器設備の斜視図、（ｂ）はその電動弁ユニットの構成図である。
【図１５】（ａ）図は図１４の洗浄水供給流路の系統図、（ｂ）図は洗浄水供給流路の給水タイミングチャートである。
【符号の説明】
【００９８】
２  水弁
４  エゼクタ
５  エゼクタ用配管
８  水タンク
９  エア弁
１３  大気開放弁
１４  エアタンク
１５  作動室用配管
１６  吸引弁
２０  便器
２３  便鉢
２４  トラップ
２５  排水流路
２６  サブトラップ
３０  作動タンク
３１  第１室
３２  第２室
３３  隔膜
５１  洋風便器
５２  鉢部
５３  リム
５４  リムノズル
５５  ジェットノズル
６０  止水栓
６１  給水管（元流路）
６２  ストレーナ
７０  電動弁ユニット
７４  リムノズル用給水配管（リム用流路）
７５  ジェットノズル用給水配管（ジェット用流路）
９０  蓄圧タンク
【図１】
2007255069.tif 000003
【図２】
2007255069.tif 000004
【図３】
2007255069.tif 000005
【図４】
2007255069.tif 000006
【図５】
2007255069.tif 000007
【図６】
2007255069.tif 000008
【図７】
2007255069.tif 000009
【図８】
2007255069.tif 000010
【図９】
2007255069.tif 000011
【図１０】
2007255069.tif 000012
【図１１】
2007255069.tif 000013
【図１２】
2007255069.tif 000014
【図１３】
2007255069.tif 000015
【図１４】
2007255069.tif 000016
【図１５】
2007255069.tif 000017